(57)【要約】【課題】  電車内等において、片手で単行本等の本類を大きく拡げた状態に保持しながら手軽に読書することができるブックホルダーを提供する。【解決手段】  ブックホルダーＡは、軟質合成樹脂よりなる帯状の内側固定ホルダー部材１と外側可動ホルダー部材２とからなり、内側固定ホルダー部材１を中央部からコ字状に曲げた状態にしてその中央部を単行本Ｂの背面下部に、両側部を表裏面の下部に固定する一方、この内側固定ホルダー部材１上に重ね合わせている外側可動ホルダー部材２を内側固定ホルダー部材１に設けているガイド部４、４に挿通、支持させた状態で内側固定ホルダー部材１の両側部上でその両側部を前後方向に摺動移動可能とし、この外側可動ホルダー部材２を後方に移動させた際に生じるこれらのホルダ部材１、２間の隙間に片手の指を挿入して単行本Ｂを開いた状態に保持しながら読書可能に構成している。【選択図】    図３
2010111103.tif 000002
【特許請求の範囲】
【請求項１】
本類の表紙下部に装着する帯状のブックホルダーであって、本類の背部から表紙の表裏面に亘って固定する可撓性を有する帯状の内側固定ホルダー部材と、この内側固定ホルダー部材上に重ね合わせている可撓性を有する帯状の外側可動ホルダー部材とからなり、本類の表紙における表裏面に固定する上記内側固定ホルダー部材の両側部に、外側可動ホルダー部材の両側部を挿通させて本類の横幅方向に摺動自在に支持したガイド部を設けている一方、これらのガイド部からそれぞれ突出している外側可動ホルダー部材の両側端部の先端にガイド部からの抜け止め係止片を設けていると共に中央部を本類の背部に着脱自在に被嵌するコ字状の挟持片部に形成してあり、この挟持片部を本類の背部から後方に引き離して上記両抜け止め係止片を上記内側固定ホルダー部材のガイド部に係止させた際に、内側固定ホルダー部材と外側可動ホルダー部材との間に指が挿通可能な隙間を形成するように構成したことを特徴とするブックホルダー。
【請求項２】
内側固定ホルダー部材を粘着剤によって本類の表紙下部に固着するように構成していることを特徴とする請求項１に記載のブックホルダー。
【請求項３】
内側固定ホルダー部材の両側端部に本類の表紙の表裏面における端部に係脱自在に係止させる係止片を一体に設けていることを特徴とする請求項１に記載のブックホルダー。
【請求項４】
内側固定ホルダー部材の両側部に該両側部を外側カバー片として内側カバー片を設け、これらの内外カバー片の先端縁と下端縁とを一体に固着することにより内外カバー片の対向面間に本類の表紙の表裏面における下端部を差し込み固定可能な偏平状の袋部を形成していることを特徴とする請求項１に記載のブックホルダー。
【請求項５】
内側固定ホルダー部材と外側可動ホルダー部材とは軟質合成樹脂からなると共に、外側可動ホルダー部材の挟持片部にコ字状の保形片を固着していることを特徴とする請求項１に記載のブックホルダー。
【請求項６】
ガイド部は、内側固定ホルダー部材の両側先端部に長さ方向に小間隔を存して設けられた前後一対の直状スリットと、これらの前後直状スリット間の先端部によって形成されたガイド片部とからなり、外側可動ホルダー部材の両側先端部をこのガイド片部の内面に接するように上記前後スリットに挿通させていることを特徴とする請求項１に記載のブックホルダー。
【発明の詳細な説明】
【技術分野】
【０００１】
本発明は、主として単行本や手帳、その他の小冊等の本類に装着して手軽に読むことができるようにしたブックホルダーに関するものである。
【背景技術】
【０００２】
従来から、ブックホルダーやブックカバーとしては種々の構造、形態のものが開発されているが、本類を開いた状態に保持して読書を容易に行えるようにしたブックホルダーとしては、書見台のように支持脚部材の上端に書架を備えてなるものが広く知られている。しかしながら、このような書見台は金属製又は木製であって持ち運びは困難であるばかりでなく、高価につく等の問題点があり、このため、例えば、特許文献１に記載されているように、厚紙製で折り畳み式の簡易書見台形成用ブックホルダーが開発されている。
【０００３】
このブックホルダは平面矩形状の厚紙からなるベース部と、このベース部に折り重ねられて、使用時にはベース部の一半部上に山折れ状に起立させて前面を本類の傾斜支持面とした三角形状の書見台部を形成するシート部と、上記ベースの他半部に切り起こし可能に設けられて書見台部の上記傾斜支持面に展開状態で受止された本類の下端を係止状態に受止する係止片とからなり、安価にして携行が容易であるが、読書時にはこのブックホルダーの載置部を必要として、例えば、電車内において片手で吊り革を把持しながら読書を行うのには使用することができない。
【０００４】
このような電車内において立ったまま読書を可能にする簡易なブックホルダーに関しては、従来から殆ど開発されていないが、特許文献２に記載されているように、本類を収納して携行するバッグにブックホルダー部を設けると共にバッグの表面に片手を挿入して本類を支持しながら読書を可能にするベルトを取付けたブックバックが考案されている。
【０００５】
【特許文献１】実公平６−３７７３１号公報
【特許文献２】特開昭６３−４７１９９号公報
【発明の開示】
【発明が解決しようとする課題】
【０００６】
しかしながら、上記のようなブックバッグによれば、バッグそのものが高価について、例えば、一冊の単行本毎にその単行本のホルダーとしてこのブックバッグを購入することは実質的に困難であるばかりでなく、外出時にハンドバッグやカバン内に収納すると嵩張りが生じて収納しきれなくなる虞れがあり、また、読書時には、バッグを開いた状態にしてこのバッグと共に本類を片手で掴持しなければならないため、本類と共にバッグ自体の重量も片手に掛かって短時間で疲れが発生し、読書の妨げになるといった問題点がある。  
【０００７】
さらに、バッグと共に本類を掴持する片手を保持するためのベルトは、ブックバッグの表面一側部に縦方向に張設されているため、このベルトに片手を挿入した場合にはバッグと共に開いた本類の一方の頁側の紙面を保持することができても、他方の頁側の紙面まで保持することが困難であり、また、ベルトに片手の親指以外の４本の指を引き揃えた状態で斜めに差し込むと共に親指を開いた本類の頁間に押し付ければ、開いたバッグと共に本類を確実に掴持することができるが、親指を開いた本類の頁間に押し付けると、本類を大きく展開した状態に保持することができず、読みづらくなると共に頁の捲りも円滑に行うことができなくなるといった問題点があった。
【０００８】
本発明はこのような問題点に鑑みてなされたもので、その目的とするところは、構造が簡単で安価に提供することができて単行本などの小冊の本類を購入する毎にその本類への装着を可能にし、且つ、本類の表紙の下部に直接装着してカバンなどに収納しても嵩張ることなく手軽に携行できる上に、電車内等において読書する際には、本類を片手で容易に且つ大きく開いた安定した状態に保持しながら手軽に読書を行うことができ、また、携行時には本類を閉じた状態に保持しておくことができるブックホルダーを提供するにある。
【課題を解決するための手段】
【０００９】
上記目的を達成するために、本発明のブックホルダーは、請求項１に記載したように、本類の表紙下部に装着する帯状のブックホルダーであって、本類の背部から表紙の表裏面に亘って固定する可撓性を有する帯状の内側固定ホルダー部材と、この内側固定ホルダー部材上に重ね合わせている可撓性を有する帯状の外側可動ホルダー部材とからなり、本類の表紙における表裏面に固定する上記内側固定ホルダー部材の両側部に外側可動ホルダー部材の両側部を挿通させて本類の横幅方向に摺動自在に支持したガイド部を設けている一方、これらのガイド部からそれぞれ突出している外側可動ホルダー部材の両側端部の先端にガイド部からの抜け止め係止片を設けていると共に中央部を本類の背部に着脱自在に被嵌するコ字状の挟持片部に形成してあり、この挟持片部を本類の背部から後方に引き離して上記両抜け止め係止片を上記内側固定ホルダー部材のガイド部に係止させた際に、内側固定ホルダー部材と外側可動ホルダー部材との間に指が挿通可能な隙間を形成するように構成している。
【００１０】
このように構成したブックホルダーにおいて、請求項２に係る発明は、内側固定ホルダー部材を粘着剤によって本類の表紙下部に固着するように構成していることを特徴とする一方、請求項３に係る発明は、内側固定ホルダー部材の両側端部に本類の表紙の表裏面における端部に係脱自在に係止させる係止片を一体に設けていることを特徴とする。
【００１１】
請求項４に係る発明は、本類の表紙にブックホルダーを装着するためのさらに別な装着構造であって、内側固定ホルダー部材の両側部に該両側部を外側カバー片として内側カバー片を設け、これらの内外カバー片の先端縁と下端縁とを一体に固着することにより内外カバー片の対向面間に本類の表紙の表裏面における下端部を差し込み固定可能な偏平状の袋部を形成していることを特徴とする。
【００１２】
また、請求項５に係る発明は、上記内側固定ホルダー部材と外側可動ホルダー部材とは軟質合成樹脂からなると共に、外側可動ホルダー部材の挟持片部にコ字状の保形片を固着していることを特徴とする。
【００１３】
なお、上記外側可動ホルダー部材の両側部を内側固定ホルダー部材の両側部上で前後方向に摺動自在に挿通支持させているガイド部としては、例えば、請求項５に記載したように、内側固定ホルダー部材の両側先端部にそれぞれ前後方向に小間隔を存して設けられた前後一対の直状スリットと、これらの前後直状スリット間の先端部によって形成されたガイド片部とからなり、外側可動ホルダー部材の両側先端部をこのガイド片部の内面に接するように上記前後スリットに挿通させた構造を採用している。
【発明の効果】
【００１４】
請求項１に係る発明によれば、ブックホルダーは、本類の表紙下部における背面から表裏面に亘って固定する可撓性を有する帯状の内側固定ホルダー部材と、この内側固定ホルダー部材上に重ね合わせている可撓性を有する外側可動ホルダー部材とからなり、本類の表紙における表裏面に固定する上記内側固定ホルダー部材の両側部に外側可動ホルダー部材の両側部を挿通させて本類の横幅方向に摺動自在に支持したガイド部を設けた構造としているので、全体の構造が簡易で安価に提供することができ、単行本などの小冊の本類を購入する毎にその本類に本発明のブックホルダーの装着を可能にし得るのは勿論、本類の表紙における下部にこれらの帯状の内側固定ホルダー部材と外側可動ホルダー部材とを重ね合わせた状態で装着するものであるから、嵩張りが生じることなくカバンなどに収納して手軽に携行することができる。
【００１５】
さらに、読書時には、内側固定ホルダー部材に対して外側可動ホルダー部材を、その両側端部先端の係止片が内側固定ホルダー部材の両側部に設けているガイド部に係止するまで後方に引き出して本類を開くと、内側固定ホルダー部材と外側可動ホルダー部材との対向面間に指が挿通可能な上下方向に開口した隙間を形成することができ、この隙間に、例えば人指し指と中指、薬指を下方から上方に向かって挿通して中指を表紙の背面に、人指し指と薬指を表紙の両側外面に沿わせる一方、親指と小指を開いた本類の両側の紙面上に当てがうことによって、本類を片手で大きく開いた安定した状態に保持することができ、電車内等においても他方の片手で吊り革を把持しながら手軽に読書を行うことができる。なお、親指以外の指を上記隙間に挿通して表紙の背面を支持し、親指を開いた紙面の中央（綴り部）上に押し当てた状態にしても確実に読書を行うことができる。
【００１６】
その上、外側可動ホルダー部材の両側先端に設けている係止片が内側固定ホルダー部材の両側部に設けているガイド部に係止すると、これらの内側固定ホルダー部材と外側可動ホルダー部材との対向面間で形成される上記隙間がそれ以上、大きく拡開するのを抑止されるので、その隙間に挿入した指を内側固定ホルダー部材と外側可動ホルダー部材とで弾性的に挟持させることができて、本類を確実に且つ安定した状態で保持し得ると共に、外側可動ホルダー部材の内面に圧接している指の背面で該外側可動ホルダー部材を内側固定ホルダー部材からさらに後方に離間させる方向に押圧して、その押圧力が内側固定ホルダー部材に設けているガイド部に係止した該外側可動ホルダー部材の両側先端の上記係止片を引き寄せる方向に作用し、そのため、本類の表紙下部に固定している内側固定ホルダー部材を介して本類を一層大きく開かせた状態に保持することができて読書が容易となるものである。従って、上述したように、親指以外の指を上記隙間に挿通して表紙の背面を支持し、親指を開いた紙面の中央（綴り部）上に押し当てても、本類を大きく拡開させた状態を保持することができ、読書が容易となる。
【００１７】
また、外側可動ホルダー部材の長さ方向の中央部を本類の背部に着脱自在に被嵌するコ字状の挟持片部に形成しているので、読書後等において、該外側可動ホルダー部材を元の位置まで前進移動させてその挟持片部を本類の背部に被嵌させると、この挟持片によって本類が不測に大きく開くのを防止することができ、本類を閉じた状態に保持して形崩れが生じることなくカバン等に収納して携行することができる。
【００１８】
さらに、本発明のブックホルダーを本類の表紙に取付ける手段として、請求項２に記載したように、内側固定ホルダー部材を粘着剤によって表紙下部に固着するように構成しておけば、本類の表紙に簡単且つ強固に固着することができる一方、請求項３に記載したように、内側固定ホルダー部材の両側端部に本類の表紙の表裏面における端部に係脱自在に係止させるフック形状の係止片を一体に設けておけば、本類の表紙に対して容易に装着することができると共に、別な本類に対してもこのブックホルダーを簡単に移し替えて使用することができる。
【００１９】
この場合に、請求項４に記載したように、内側固定ホルダー部材の両側部に該両側部を外側カバー片として内側カバー片を設け、これらの内外カバー片の先端縁と下端縁とを一体に固着することにより内外カバー片の対向面間に本類の表紙の表裏面における下端部を差し込み固定可能な偏平状の袋部を形成した構造としておけば、本類の表紙に対する装着や別な本類に対するブックホルダーの移し替えが容易となる上に、本類が読書時や読書後に本類を開閉しても内側固定ホルダー部材が表紙の横幅方向に妄動することなく確実に所定部分に装着しておくことができ、安定した読書を可能にすることができる。
【００２０】
請求項５に係る発明によれば、上記内側固定ホルダー部材と外側可動ホルダー部材は、軟質合成樹脂からなるので、柔軟性を有して読書時には手に良くフィットし、違和感が殆ど生じることのないブックホルダーを提供することができる。また、本類の背部に着脱自在に被嵌させる外側可動ホルダー部材の中央部に設けた挟持片部にコ字状の保形片を固着しているので、本類を閉じた際に、該保形片によって閉じた状態を確実に保持させることができる。
【００２１】
請求項６に係る発明によれば、内側固定ホルダー部材に設けている上記ガイド部は、内側固定ホルダー部材の両側先端部に長さ方向に小間隔を存して設けられた前後一対の直状スリットと、これらの前後直状スリット間の先端部によって形成されたガイド片部とからなり、外側可動ホルダー部材の両側先端部をこのガイド片部の内面に接するように上記前後スリットに挿通させているので、前後直状スリットによって外側可動ホルダー部材を円滑且つ正確に内側固定ホルダー部材の外面に接して前後方向に摺動させることができ、読書時にはブックホルダー使用が素早く行えると共に、読書後には外側可動ホルダー部材をワンタッチで正確に内側固定ホルダー部材上に重ね合わせた状態に収めることができる。
【発明を実施するための最良の形態】
【００２２】
本発明の具体的な実施の形態を図面について説明すると、図１はブックホルダーの斜視図、図２は単行本等の小冊からなる本類に装着した状態の斜視図、図３は本類を開いた状態の簡略斜視図、図４は要部の拡大斜視図であって、これらの図において、ブックホルダーＡは透明な軟質合成樹脂製シートからなる可撓性を有する横長帯状の内側固定ホルダー部材１と同じく透明な軟質合成樹脂シートからなる可撓性を有する外側可動ホルダー部材２とからなり、これらの内側固定ホルダー部材１と外側可動ホルダー部材２との長さ（横幅）は、本類（以下、単行本Ｂとする）の表紙B1を開いた際の横幅、即ち、該表紙B1の表面B1-1の先端と裏面B1-2の先端間の横幅と同等ないしは該横幅よりもやや短い長さに形成されていると共に縦幅は単行本Ｂの縦幅の１／４程度に形成されている。
【００２３】
内側固定ホルダー部材１は、その長さ方向の中央部を単行本Ｂの背部B2の横幅に等しい横幅を有して該背部B2の下部に密着させる背当て部1cに形成していると共に、この内側固定ホルダー部材１の長さ方向の両側部をこの背部B2の両側端から同一方向に略直角に屈折させて単行本Ｂの表紙B1の表裏面B1-1、B1-2における下部に固定させる両側固定腕片部1a、1bに形成してあり、さらに、これらの両側固定腕片部1a、1bにおける長さ方向の先端部に、上記外側可動ホルダー部材２の両側部，挿通させてこの内側固定ホルダー部材１の両側固定腕片部1a、1b上で単行本Ｂの横幅方向に摺動自在に支持したガイド部３を設けている。
【００２４】
このガイド部３は、内側固定ホルダー部材１の両側固定腕片部1a、1bの先端部に、長さ方向に小間隔を存して内側固定ホルダー部材１の内外面（表裏面）間に亘って貫通した前後一対の直状のスリット3b、3cを設けてなり、これらの前後スリット3b、3c間の上記先端部を外側可動ホルダー部材２のガイド片部3aに形成してこのガイド片部3aの内面に接するように外側可動ホルダー部材２の両側端部を上記前後スリット3b、3cに挿通させた構造としているが、このような構造に限定されることなく、例えば、内側固定ホルダー部材１の両側固定腕片部1a、1bの先端部外面に該内側固定ホルダー部材１の縦幅に等しい縦幅を有する矩形状のガイド片をそれぞれ重ねて、該ガイド片の上下端を両側固定腕片部1a、1bの上下端部に固着することにより、このガイド片と両側固定腕片部1a、1bの先端部外面との間で外側可動ホルダー部材２の両側部を摺動自在に挿通、支持させるように構成しておいてもよい。
【００２５】
一方、外側可動ホルダー部材２は、その長さ方向の中央部を平面コ字状に屈折させて単行本Ｂの背部B2における下部に内側固定ホルダー部材１の上記背当て部1cを介して着脱自在に被嵌させる挟持片部2cに形成していると共に、この挟持片部2cの両側端から外側可動ホルダー部材２の両側部を、該挟持片部2cの背面部に対して内側固定ホルダー部材１の両側固定腕片部1a、1bと同一方向に略直角に屈折させてこれらの両側固定腕片部1a、1bの外面上にそれぞれ前後方向に摺動自在に重ねた両側可動腕片部2a、2bに形成している。
【００２６】
この外側可動ホルダー部材２における両側可動腕片部2a、2bの縦幅は、上記ガイド部３の前後スリット3b、3cの上下間の長さよりも狭く形成されていて、その両側先端部をガイド部３、３のガイド片部3aの内面に接して前後スリット3b、3c間に挿通することにより、これらの両側ガイド部３、３にその両側可動腕片部2a、2bの先端部を内側固定ホルダー部材１の両側固定腕片部1a、1bの先端部上に沿って前後方向に摺動可能に支持させていると共に、ガイド部３、３の前側スリット3bから前方に向かって突出している両側可動腕片部2a、2bの先端に該スリット3bの長さよりも縦幅が広く形成されていてこの前側のスリット3bを設けているガイド片部3aの前端面にその後端面を係止させる抜け止め係止片４を一体に設けている。
【００２７】
上記内側固定ホルダー部材１の両側固定腕片部1a、1bにおける先端部に設けているガイド部３、３から前方に突出する外側可動ホルダー部材２の両側可動腕片部2a、2bの先端部の突出長は、読書時において単行本Ｂを支持する片手の指が外側可動ホルダー部材２によって弾性的に保持される寸法に設定されている。
【００２８】
即ち、内側固定ホルダー部材１を単行本Ｂの表紙B1の下部に装着、固定した状態でこの内側固定ホルダー部材１上に重ねている外側可動ホルダー部材２を後方に移動させて単行本Ｂの背部B2に被嵌していたコ字状の挟持片部2cを単行本Ｂの背部B2から後方に引き離し、外側可動ホルダー部材２の先端に設けている抜け止め係止片４、４を内側固定ホルダー部材１の上記両側ガイド部３、３のガイド片部3aの前端面に係止させた状態にして単行本Ｂを開くと、内側固定ホルダー部材１と外側可動ホルダー部材２との対向面間に上下方向に開口した隙間５が形成される。この隙間５の前後幅（開口幅）の大小は、ガイド部３から前方に突出している外側可動ホルダー部材２の先端部の突出長の長短によって設定されるので、隙間５に指を差し込んだ際に、外側可動ホルダー部材２の両側可動腕片部2a、2bが指の背面に弾圧状態で接することができるように突出長を設定しているものである。
【００２９】
なお、外側可動ホルダー部材２の長さ方向に中央部に形成している上記コ字状の挟持片部2cの内面にこの挟持片部2cよりも硬質の合成樹脂からなり、単行本Ｂの背部B2を弾性的に挟持するコ字状の保形片６を固着している。
【００３０】
また、使用前のブックホルダーＡにおける内側固定ホルダー部材１の内面には、粘着剤層７が層着されていると共に、この粘着剤層７上を剥離紙（図示せず）を貼着してあり、ブックホルダーＡを単行本Ｂの表紙B1に装着して使用する際には、この剥離紙を剥がしたのち、内側固定ホルダー部材１の背当て部1cを単行本Ｂの背部B2における下部に当てがって粘着剤層７によって固定すると共に両側固定腕片部1a、1bを表紙B1の表面B1-1の下部と裏面B1-2の下部とにそれぞれ粘着剤層７によって固定する。なお、内側固定ホルダー部材１を単行本Ｂの表紙B1に装着する手段としては、このような粘着剤層７による固定以外に後述するように係止片や表紙B1の下部を収納する袋状の固定部等を採用してもよい。
【００３１】
このようにブックホルダーＡを装着した単行本Ｂは、ブックホルダーＡが薄肉の帯状軟質合成樹脂シート材からなるので、嵩張ることなくカバン等に収納して手軽に携行することができると共に、外側可動ホルダー部材２に設けているコ字状の保形片６を有する背挟持片部2cが単行本Ｂの背部B2に被嵌しているので、単行本Ｂが不測に開くのを防止しておくことができる。さらに、ブックホルダーＡを構成している内側固定ホルダー部材１及び外側可動ホルダー部材２は、透明の軟質合成樹脂製シートからなるので、表紙B1に印刷されている文字等を隠蔽することはない。
【００３２】
そして、読書時には、単行本Ｂの表紙B1の下部に装着している内側固定ホルダー部材１に対して外側可動ホルダー部材２を、その両側可動腕片部2a、2bの先端抜け止め係止片４、４が内側固定ホルダー部材１の両側固定腕片部1a、1bの先端部に設けているガイド片部3aの前端面に係止するまで、内側固定ホルダー部材１の両側固定腕片部1a、1b上を後方に摺動させて上記コ字状の背挟持片部2cを単行本Ｂの背面から後方に離脱させたのち、単行本Ｂを開くと、内側固定ホルダー部材１と外側可動ホルダー部材２との対向面間に指が挿通可能な上下方向に貫通状態に開口した隙間５が形成されるので、図３〜図５に示すように、この隙間５に一方の片手（図においては左手）の指における人指し指と中指、薬指を下方から上方に向かって挿通して中指を表紙B1の背面に、薬指と人指し指を表紙B1の表面B1-1と裏面B1-2にそれぞれ沿わせて表面B1-1と裏面B1-2を支えた状態にする一方、親指と小指を開いた単行本Ｂの開いた両側の紙面上に当てがうことによって、単行本Ｂを片手で大きく開いた状態に保持することができると共に内側固定ホルダー部材１上に沿わせている指の背面を外側可動ホルダー部材２によって弾圧的に保持させることができる。
【００３３】
このように、ブックホルダーＡを介して片手で単行本Ｂを保持しながら読書し、頁を捲る際には、親指で抑えている頁側の紙面から該親指を該紙面の外側にずらしながら他方の手（右手）の指先でその紙面を捲り、上記親指を直ちに次の紙面に沿わせると共に捲った紙面を小指で抑えている他方の頁の紙面上に小指の先端側から挿入することによって容易に行うことができる。
【００３４】
また、上記のように、内側固定ホルダー部材１に対して外側可動ホルダー部材２の両側可動腕片部2a、2bの先端抜け止め係止片４、４を内側固定ホルダー部材１の両側固定腕片部1a、1bの先端部に設けているガイド片部3aの前端面に係止させた状態から、内側固定ホルダー部材１と外側可動ホルダー部材２との間の隙間に挿入した指の背面で外側可動ホルダー部材２を外方に押圧すると、単行本Ｂが自然と大きく拡開させた状態にすることができるので、上述したように、親指と小指で両側の紙面を抑えることなく、図６に示すように親指以外の指を上記隙間５に挿通してこれらの指により単行本Ｂの外面（背面）を支持し、親指を開いた紙面の中央（綴り部）上に押し当てても、容易に読書を行うことができる。
【００３５】
なお、以上の実施例においては、単行本Ｂに対するブックホルダーＡの装着は、内側固定ホルダー部材１の内面に層着している粘着剤層７によって行っているが、このような粘着剤層７によることなく、例えば、図７に示すように、ブックホルダーＡにおける内側固定ホルダー部材１の両側固定腕片部1a、1bの先端部下端縁に内方に向かってＵ字状に屈曲したフック形状の係止片８、８を一体に設けておき、内側固定ホルダー部材１の両側固定腕片部1a、1bを単行本Ｂの表裏面における下部に沿わせながらこの両側係止片８、８を図８に示すように、単行本Ｂの表裏面における先端下端部に取り外し可能に係止させることによってブックホルダーＡを単行本Ｂに装着するように構成しておいてもよい。
【００３６】
さらに、図９〜図11に示すように、内側固定ホルダー部材１の両側部、即ち、両側固定片部1a、1bの内面に、この両側固定腕片部1a、1bを外側カバー片として該外側カバー片1a、1bと同大、同形の横長長方形状の内側カバー片1a-1、1b-1を重ね合わせた状態にしてこれらの内外カバー片1a、1a-1及び1b、1b-1の先端縁と下端縁を融着等により一体に固着してこれらの内外カバー片1a、1a-1及び1b、1b-1により基端側と上端側とが開口した偏平形状の袋部9a、9bを形成し、この袋部9a、9bに表紙の表裏面における下端部を差し込むことによりブックホルダーＡを単行本Ｂに装着するように構成しておいてもよい。その他の構成については図１等で示した上記実施例と同じであるので、同一部分には同一符号を付して詳細な説明を省略する。なお、本発明のブックホルダーＡは、上記単行本Ｂに限らず、手帳やその他の小冊等の本類に装着して使用することができる。
【図面の簡単な説明】
【００３７】
【図１】ブックホルダーの斜視図。
【図２】単行本に装着した状態の斜視図。
【図３】単行本を開いた状態の簡略斜視図。
【図４】その要部の拡大斜視図。
【図５】単行本に装着して使用している状態の簡略側面図。
【図６】指により単行本を開いた別な支持形態を師走簡略斜視図。
【図７】本発明の別な実施例を示す斜視図。
【図８】単行本に装着した状態の斜視図。
【図９】本発明のさらに別な実施例を示す斜視図。
【図１０】拡げた状態の斜視図。
【図１１】単行本に装着した状態の斜視図。
【符号の説明】
【００３８】
Ａ  ブックホルダー
Ｂ  単行本
１  内側固定ホルダー部材
1a、1b  両側固定腕片部
２  外側可動ホルダー部材
2a、2b  両側可動腕片部
2c  背保持部
３  ガイド部材
3a  ガイド片部
3b、3c  前後スリット
４  抜け止め係止片
５  隙間
６  コ字状の保形片
８、８  係止片
9a、9b  偏平袋部
【図１】
2010111103.tif 000003
【図２】
2010111103.tif 000004
【図３】
2010111103.tif 000005
【図４】
2010111103.tif 000006
【図５】
2010111103.tif 000007
【図６】
2010111103.tif 000008
【図７】
2010111103.tif 000009
【図８】
2010111103.tif 000010
【図９】
2010111103.tif 000011
【図１０】
2010111103.tif 000012
【図１１】
2010111103.tif 000013